(57)【特許請求の範囲】
【請求項１】
窓を有する複数のセグメントを胴軸の軸方向に間隔をおいて取り付けて渡し胴を形成し、その渡し胴の前記窓内に挿通されて前記胴軸と平行するギヤ軸の両端部を前記渡し胴の両端側に配置された一対の軸受ブロックによって回転自在に支持し、その一対の軸受ブロック間に渡されたステーによって前記セグメント間に配置されたシート吸着用の吸引ノズルを支持し、前記ギヤ軸には固定カムとの接触によって揺動されるカムレバーと、ピニオンとを固定し、前記軸受ブロックには複数のローラを渡し胴の周方向に間隔をおいて設け、前記渡し胴には前記ピニオンが噛合するセクタギヤと、前記ローラを案内するローラガイドとを固定し、そのローラガイドに形成された円弧状のローラ案内面の曲率中心およびセクタギヤのピッチ円の中心を渡し胴の中心に一致させた印刷機の渡し胴における吸着装置。
【発明の詳細な説明】
【０００１】
【発明の属する技術分野】
この発明は、片面二色機から一色両面機に切り換えて使用することができる印刷機の渡し胴におけるシート尻側端部の吸着装置に関するものである。
【０００２】
【従来の技術】
片面二色機から一色両面機に切り換えて使用することができるようにした印刷機は図５に示すように、版胴３０、ブランケット胴３１および圧胴３２から成る第１印刷ユニットＵ1 と、第２印刷ユニットＵ2 の圧胴３２間に第１渡し胴３３乃至第３渡し胴３５を設けている。
【０００３】
上記印刷機においては第１印刷ユニットＵ1 によってシートＳの片面に印刷を施したのち、圧胴３２と第１渡し胴３３との間でシートＳの受け渡しを行ない、その第１渡し胴３３と第２渡し胴３４との間でシートＳの受け渡しを行なうと共に、シートＳの尻側端部を第２渡し胴３４に設けられた図示処理の吸着装置によって吸着するようにしている。そして、その吸着されたシートＳの尻側端部を第３渡し胴３５に設けられた第１くわえ爪３６でくわえ、そのくわえ後に第１くわえ爪３６および第２くわえ爪３７を旋回させて、両くわえ爪３６、３７間でシートＳのくわえ変えを行ない、その後、第３渡し胴３５と第２印刷ユニットＵ2 の圧胴３２間においてシートＳの受け渡しを行なって、第２印刷ユニットＵ2 により印刷を施すようにしている。
【０００４】
上記のように、第１印刷ユニットＵ1 によって印刷されたシートＳのくわえ尻りを第２印刷ユニットＵ2 でくわえはしに変えることによってシートＳは反転されることになり、第２印刷ユニットＵ2 によってシートＳの裏面に印刷が施される。
【０００５】
ここで、第２渡し胴３４は、第１渡し胴３３および第３渡し胴３５に対して倍径とされ、その第２渡し胴３４に一対のくわえ爪３８が１８０°の間隔をおいて設けられ、各くわえ爪３８に対応してシートＳの尻側端部を吸着する吸着装置が設けられている。
【０００６】
第２渡し胴３４に設けられた吸着装置として、図６に示したものが従来から知られている。この吸着装置４０は、第２渡し胴３４を形成する複数のセグメント間に吸引ノズル４１を設け、その吸引ノズル４１によって一方のくわえ爪３８によって先端部がくわえられたシートＳの尻側端部を吸着し、その吸引ノズル４１を第２渡し胴３４の回転方向と逆方向に揺動させてシートＳを緊張させるようにしている。
【０００７】
【発明が解決しようとする課題】
ところで、第２渡し胴３４に設けられた従来の吸着装置４０においては、吸引ノズル４１の揺動中心４２が第２渡し胴３４の回転中心に対して半径方向に位置がずれているため、シートＳの尻側端部を第２渡し胴３４の外周面に沿って引くことができず、シートＳの尻側端部に折れ曲がりが生じたり、硬いシートＳの場合には吸引ノズル４１の吸着面がシートＳに対して傾斜して吸着部がシートＳから外れ、シートＳを緊張させることができない場合が生じる。
【０００８】
この発明の課題は、シートを渡し胴の外周に沿って確実に緊張させることができるようにした印刷機の渡し胴における吸着装置を提供することである。
【０００９】
【課題を解決するための手段】
上記の課題を解決するために、この発明においては、窓を有する複数のセグメントを胴軸の軸方向に間隔をおいて取り付けて渡し胴を形成し、その渡し胴の前記窓内に挿通されて前記胴軸と平行するギヤ軸の両端部を前記渡し胴の両端側に配置された一対の軸受ブロックによって回転自在に支持し、その一対の軸受ブロック間に渡されたステーによって前記セグメント間に配置されたシート吸着用の吸引ノズルを支持し、前記ギヤ軸には固定カムとの接触によって揺動されるカムレバーと、ピニオンとを固定し、前記軸受ブロックには複数のローラを渡し胴の周方向に間隔をおいて設け、前記渡し胴には前記ピニオンが噛合するセクタギヤと、前記ローラを案内するローラガイドとを固定し、そのローラガイドに形成された円弧状のローラ案内面の曲率中心およびセクタギヤのピッチ円の中心を渡し胴の中心に一致させた構成を採用したのである。
【００１０】
上記のように構成すれば、渡し胴の回転時、固定カムとの接触によりレバーが揺動してギヤ軸が回転し、そのギヤ軸に取り付けられたピニオンが自転しつつセクタギヤの外周に沿って周方向に移動すると共に、ローラがローラガイドのローラ案内面に沿って移動する。
【００１１】
このとき、セクタギヤのピッチ円の中心およびローラガイドのローラ案内面の曲率中心は渡し胴の中心と一致しているため、軸受ブロックは渡し胴の軸心を中心として円周方向に移動すると共に、シートの尻側端部を吸着する吸引ノズルも渡し胴の軸心を中心として円周方向に移動し、シートを渡し胴の外周に沿って緊張させることができる。
【００１２】
【発明の実施の形態】
以下、この発明の実施の形態を図面に基づいて説明する。図１および図２は、図５に示す印刷機の第２渡し胴（以下、単に渡し胴と称する）を示す。図示のように、渡し胴１は胴軸２と、その胴軸２の軸方向に間隔をおいて取付けられた複数のセグメント３とから成り、各セグメント３には一対の窓４が対向位置に設けられている。軸方向に並ぶ複数のセグメント３のうち、両側のセグメント３の外端面にはブラケット５が取り付けられている。
【００１３】
各セグメント３は外周対向位置に切除部６を有し、各切除部６に爪軸７が配置されている。爪軸７は渡し胴１の軸心に平行し、その爪軸７に複数のくわえ爪８が軸方向に間隔をおいて取り付けられている。爪軸７は渡し胴１と共に回転する回転時に、図示省略したカムレバー機構によって正逆方向に設定角度回転される。くわえ爪８は爪軸７の回動により開閉し、閉鎖時に、セグメント３間に渡された爪あて９とでシートの先端部をくわえるようになっている。
【００１４】
くわえ爪８によって先端部がくわえられたシートは渡し胴１の回転により、その渡し胴１の外周に沿い、その尻側端部は吸着装置１０によって吸着支持される。
【００１５】
吸着装置１０は、各セグメント３の窓４内に挿通されたギヤ軸１１を有している。ギヤ軸１１の両端部は、渡し胴１の両端側に配置された一対の軸受ブロック１２によって回転自在に支持されている。
【００１６】
一対の軸受ブロック１２間にはステー１３が渡され、そのステー１３の長さ方向に間隔をおいて取り付けたノズル支持台１４に、吸引ノズル１５が接続されている。吸引ノズル１５は渡し胴１を形成する複数のセグメント３間に配置され、多数の吸引孔１５ａが形成された先端の吸着面１５ｂは、渡し胴１の外周面とほぼ同一の高さとされている。
【００１７】
ステー１３には、そのステー１３の長さ方向に延びる吸引パイプ１６が取り付けられ、その吸引パイプ１６と各吸引ノズル１５は図４に示すように連通し、上記吸引パイプ１６内を吸引することによって、各吸引ノズル１５の吸引孔１５ａに吸引力が付与されるようになっている。
【００１８】
図１乃至図３に示すように、前記ギヤ軸１１の各軸受ブロック１２を貫通して外部に臨む両端部にはピニオン１７と、カムレバー１８とが取り付けられ、上記カムレバー１８の先端部に支持されたカムフォロワ１９は、渡し胴１と同軸上に設けられた固定カム２０の外周に接触し、渡し胴１が回転すると、カムレバー１８が揺動してギヤ軸１１が正逆方向に設定角度揺動するようになっている。
【００１９】
ピニオン１７は、渡し胴１のブラケット５に取り付けられたセクタギヤ２１と噛合している。セクタギヤ２１のピッチ円の中心は渡し胴１の中心と一致している。
【００２０】
軸受ブロック１２には複数のローラ２２が渡し胴１の周方向に間隔をおいて設けられている。一方、ブラケット５には、前記ローラ２２を案内するローラガイド２３が取り付けられている。ローラガイド２３に形成された円弧状ローラ案内面２３ａの曲率中心は渡し胴１の中心に一致している。
【００２１】
実施の形態で示す渡し胴１は上記の構造から成り、くわえ爪８によって先端部がくわえられたシートは、渡し胴１の回転によってその外周に沿う状態とされる。
【００２２】
シートの尻側端部が吸引装置１０の吸引ノズル１５と対向する位置まで渡し胴１が回転すると、そのシートの尻側端部が吸引ノズル１５によって吸着される。
【００２３】
シート尻側端部の吸着後、カムレバー１８は固定カム２０との接触によって図１の矢印方向に揺動し、ギヤ軸１１が同図の時計方向に設定角度回転される。このとき、ギヤ軸１１に取り付けられたピニオン１７は、セクタギヤ２１との噛合により自転しつつセクタギヤ２１の外周に沿って移動し、ギヤ軸１１を支持する軸受ブロック１２も移動する。
【００２４】
このとき、軸受ブロック１２に支持された複数のローラ２２は、ローラガイド２３に設けられたローラ案内面２３ａに案内され、そのローラ案内面２３ａの曲率中心およびセクタギヤ２１のピッチ円の中心は渡し胴１の中心に一致しているため、軸受ブロック１２は渡し胴１の軸心を中心として円周方向に移動すると共に、シートの尻側端部と吸着する吸引ノズル１５も渡し胴１の軸心を中心にして隣接するセグメント３間を円周方向に移動し、シートの尻側端部は円周方向に引かれて緊張状態とされる。
【００２５】
このように、シートの尻側端部を吸着する吸引ノズル１５は、渡し胴１の軸心を中心として円周方向に移動するため、シートの尻側端部が折れ曲がるという不都合の発生は皆無であり、シートを渡し胴の外周に沿って確実に緊張させることができる。
【００２６】
なお、くわえ爪８で先端部がくわえられ、尻側端部が吸着装置１０によって吸着された緊張状態のシートは渡し胴１と共に回転し、そのシートの尻側端部が図５に示す第３渡し胴３５と対向し回転すると、そのシートの尻側端部が第３渡し胴３５の第１くわえ爪３６で挟持され、その挟持後、渡し胴１に設けられたくわえ爪８が開放してシートの挟持を解除する。
【００２７】
【発明の効果】
以上のように、この発明においては、シートの尻側端部を吸着する複数の吸引ノズルを渡し胴の軸心を中心として円周方向に移動させるようにしたので、シートを円周方向に確実に緊張させることができると共に、シートの尻側端部を変形させることがなく、シートの尻側端部に傷がつくのを防止することができる。
【図面の簡単な説明】
【図１】この発明に係る吸引装置を組み込んだ渡し胴の側面図
【図２】図１の一部切欠正面図
【図３】図１の一部分を拡大して示す断面図
【図４】図２のIV−IV線に沿った断面図
【図５】片面二色印刷機の概略図
【図６】従来の渡し胴を示す概略図
【符号の説明】
１  渡し胴
２  胴軸
３  セグメント
４  窓
１１  ギヤ軸
１２  軸受ブロック
１３  ステー
１５  吸引孔
１７  ピニオン
１８  カムレバー
２０  固定カム
２１  セクタギヤ
２２  ローラ
２３  ローラガイド
２３ａ  ローラ案内面
【図１】
0003727565.tif 000002
【図２】
0003727565.tif 000003
【図３】
0003727565.tif 000004
【図４】
0003727565.tif 000005
【図５】
0003727565.tif 000006
【図６】
0003727565.tif 000007